(57)【要約】【課題】  テープ媒体再生装置若しくはテープ媒体記録再生装置から入力される映像信号に基づいて映像の表示を行う映像表示装置であって、「早送り再生」や「巻戻し再生」等の特殊再生動作時に、表示画面の上下に映像が表示されない（黒い）部分が生じないようにした映像表示装置の提供。【解決手段】  入力される信号が映像信号である場合であって（ステップ３１）、且つ、当該映像信号の垂直同期信号の周波数が非標準信号と判断される場合（ステップ３２）に、垂直画面サイズの伸長処理を行う（ステップ３４）ことにより、「早送り再生」や「巻戻し再生」等の特殊再生動作時（非標準信号時）に画面の上下に映像が表示されない（黒い）部分が生じないようにする。【選択図】  図３
2006174345.tif 000002
【特許請求の範囲】
【請求項１】
テープ媒体再生装置若しくはテープ媒体記録再生装置から入力される映像信号に基づいて映像の表示を行う映像表示装置であって、垂直同期信号検出部と、周波数検出部と、チューナ部と、を備えることにより、前記垂直同期信号検出部によって検出される前記チューナ部から入力された映像信号に含まれている垂直同期信号が、前記周波数検出部によって、標準信号から外れていると判断された場合には、垂直画面サイズの変更を行うことを特徴とする映像表示装置。
【請求項２】
前記チューナ部から入力される信号に基づいて、映像の表示処理を行っている場合に、当該信号から前記垂直同期信号検出部によって垂直同期信号の検出が行われた場合であって、且つ、当該検出された垂直同期信号が、前記周波数検出部によって、標準信号から外れていると判断された場合には、垂直画面サイズの変更を行うことを特徴とする請求項１記載の映像表示装置。
【請求項３】
前記垂直同期信号が、標準信号から外れていると判断された場合であって、且つ、前記映像表示装置が、受信チャンネルの自動設定を行う自動サーチ選局モードでは無い場合に、垂直画面サイズの変更を行うことを特徴とする請求項１又は請求項２に記載の映像表示装置。
【請求項４】
テープ媒体再生装置若しくはテープ媒体記録再生装置から入力される映像信号に基づいて映像の表示を行う映像表示装置であって、垂直同期信号検出部と、周波数検出部と、外部入出力端子部と、チューナ部と、前記外部入出力端子部や前記チューナ部から入力される信号を切り替えて出力する入力切替部と、を備えることにより、前記外部入出力端子部から入力される信号が前記入力切替部によって出力されている場合であって、前記垂直同期信号検出部によって検出される当該信号に含まれている垂直同期信号が、前記周波数検出部によって、標準信号から外れていると判断された場合には、垂直画面サイズの変更を行うことを特徴とする映像表示装置。
【請求項５】
前記外部入出力端子部から入力される信号に基づいて、映像の表示処理を行っている場合に、当該信号から前記垂直同期信号検出部によって垂直同期信号の検出が行われた場合であって、且つ、当該検出された垂直同期信号が、前記周波数検出部によって、標準信号から外れていると判断された場合には、垂直画面サイズの変更を行うことを特徴とする請求項４記載の映像表示装置。
【請求項６】
水平同期信号検出部を備えることにより、前記外部入出力端子部から入力される信号が、前記水平同期信号検出部及び前記周波数検出部によって有効走査線数４８０ｉの映像信号であると判別された後に、前記垂直同期信号検出部によって検出される当該映像信号に含まれている垂直同期信号が、前記周波数検出部によって、標準信号から外れていると判断された場合には、垂直画面サイズの変更を行うことを特徴とする請求項４又は請求項５に記載の映像表示装置。
【請求項７】
前記垂直画面サイズの変更が、垂直画面サイズの伸長であることを特徴とする請求項１乃至請求項６の何れか１つに記載の映像表示装置。
【請求項８】
前記垂直同期信号検出部によって検出される垂直同期信号が、前記周波数検出部によって、標準信号より高い周波数となっていると判断された場合には、前記垂直画面サイズの変更を伸長とし、標準信号より低い周波数となっていると判断された場合には、前記垂直画面サイズの変更を縮小とすることを特徴とする請求項１乃至請求項６の何れか１つに記載の映像表示装置。
【請求項９】
前記周波数検出部によって検出される、前記垂直同期信号の周波数の標準信号との差の大きさに応じて、前記垂直画面サイズの伸縮の大きさを変更することを特徴とする請求項８に記載の映像表示装置。
【発明の詳細な説明】
【技術分野】
【０００１】
本発明は、テープ媒体再生装置若しくはテープ媒体記録再生装置から入力される映像信号に基づいて映像の表示を行う映像表示装置に関する。
【背景技術】
【０００２】
テレビ方式では、映像信号を正しく表示させるため、伝送する映像信号に同期信号（水平同期信号及び垂直同期信号）を含ませており、映像表示装置（テレビ）においては当該同期信号に基づいて走査を行っている。同期信号の周波数などは規格において定められており、規格に準じた映像信号は“標準信号”とされ、規格から外れている映像信号は“非標準信号”とされている。ＶＴＲやゲーム機などは“非標準信号”を出力する場合があるため、映像表示装置では、“標準信号”のみならず、“非標準信号”とされるものも受像する必要があるが、“標準信号”と全く同じ受像動作を行ったのでは“非標準信号”を正しく受像できない（画像が乱れる）場合がある。
【０００３】
このような問題に対し、映像信号が“標準信号”か“非標準信号”かを判別し、これに応じた受像動作を行うようにした従来技術が特許文献１〜特許文献５などによって開示されている。
【０００４】
【特許文献１】特開平７−２０３２４５号公報
【特許文献２】特開平８−３２１９６５号公報
【特許文献３】特開平１１−２６１８４１号公報
【特許文献４】特開２００１−１５７１３８号公報
【特許文献５】特開２００３−１６９２３０号公報
【発明の開示】
【発明が解決しようとする課題】
【０００５】
ＶＴＲのようなテープ媒体の再生装置では、テープという媒体の特性上、同期信号を正確に出力することが難しいため（僅かなテープ走行速度の変化であっても大きな影響を受ける等のため）、出力される映像信号が“標準信号”から外れる傾向にあり、「早送り再生」や「巻戻し再生」等の特殊再生動作時には、同期信号の周波数が“標準信号”から完全に外れてしまうのが一般的である。
【０００６】
垂直同期信号の周波数がずれると（上述したように、「早送り再生」や「巻戻し再生」等の特殊再生動作時）、表示画像が垂直方向に縮んで（若しくは伸びて）しまい、画面の上下が欠ける場合があり、見苦しくなるという問題がある。これに対し、特許文献２で開示される従来技術は、内蔵ＶＴＲの動作状況に応じて垂直画面サイズを変更させるものであり、これによれば、「早送り再生」や「巻戻し再生」等の特殊再生動作時にも、“画面の上下が欠ける”ということを防止することができるが、「ＶＴＲの動作状況」を知ることができない外部接続のＶＴＲに対して適用できるものではなかった。
【０００７】
本発明は、上述した点に鑑み、テープ媒体再生装置若しくはテープ媒体記録再生装置から入力される映像信号に基づいて映像の表示を行う映像表示装置であって、「早送り再生」や「巻戻し再生」等の特殊再生動作時に、表示画面の上下に映像が表示されない（黒くなる）部分が生じないようにした映像表示装置を提供することを目的とする。
【課題を解決するための手段】
【０００８】
請求項１の映像表示装置は、テープ媒体再生装置若しくはテープ媒体記録再生装置から入力される映像信号に基づいて映像の表示を行う映像表示装置であって、垂直同期信号検出部と、周波数検出部と、チューナ部と、を備えることにより、前記垂直同期信号検出部によって検出される前記チューナ部から入力された映像信号に含まれている垂直同期信号が、前記周波数検出部によって、標準信号から外れていると判断された場合には、垂直画面サイズの変更を行うことを特徴とする。
【０００９】
上記構成によれば、テープ媒体再生装置若しくはテープ媒体記録再生装置からの映像信号が、映像表示装置のチューナ部によって受信されているような場合であって、当該映像信号に含まれている垂直同期信号の周波数が標準信号から外れていると判断された場合（例えば「早送り再生」や「巻戻し再生」等の特殊再生動作時）には、垂直画面サイズの変更がなされる。
【００１０】
請求項２の映像表示装置は、請求項１記載の映像表示装置であって、前記チューナ部から入力される信号に基づいて、映像の表示処理を行っている場合に、当該信号から前記垂直同期信号検出部によって垂直同期信号の検出が行われた場合であって、且つ、当該検出された垂直同期信号が、前記周波数検出部によって、標準信号から外れていると判断された場合には、垂直画面サイズの変更を行うことを特徴とする。
【００１１】
上記構成によれば、チューナ部から入力される信号から垂直同期信号の検出が行われた場合（すなわち映像信号の入力がある場合）であって、且つ、当該映像信号に含まれている垂直同期信号の周波数が標準信号から外れていると判断された場合には、垂直画面サイズの変更がなされる。
【００１２】
請求項３の映像表示装置は、請求項１又は請求項２に記載の映像表示装置であって、前記垂直同期信号が、標準信号から外れていると判断された場合であって、且つ、前記映像表示装置が、受信チャンネルの自動設定を行う自動サーチ選局モードでは無い場合に、垂直画面サイズの変更を行うことを特徴とする。
【００１３】
上記構成によれば、映像表示装置が、受信チャンネルの自動設定を行う自動サーチ選局モードである場合には、垂直画面サイズの変更が行われない。
【００１４】
請求項４の映像表示装置は、テープ媒体再生装置若しくはテープ媒体記録再生装置から入力される映像信号に基づいて映像の表示を行う映像表示装置であって、垂直同期信号検出部と、周波数検出部と、外部入出力端子部と、チューナ部と、前記外部入出力端子部や前記チューナ部から入力される信号を切り替えて出力する入力切替部と、を備えることにより、前記外部入出力端子部から入力される信号が前記入力切替部によって出力されている場合であって、前記垂直同期信号検出部によって検出される当該信号に含まれている垂直同期信号が、前記周波数検出部によって、標準信号から外れていると判断された場合には、垂直画面サイズの変更を行うことを特徴とする。
【００１５】
上記構成によれば、テープ媒体再生装置若しくはテープ媒体記録再生装置からの映像信号が、映像表示装置の外部入出力端子部から入力されている場合であって、当該映像信号に含まれている垂直同期信号の周波数が標準信号から外れていると判断された場合（例えば「早送り再生」や「巻戻し再生」等の特殊再生動作時）には、垂直画面サイズの変更がなされる。
【００１６】
請求項５の映像表示装置は、請求項４記載の映像表示装置であって、前記外部入出力端子部から入力される信号に基づいて、映像の表示処理を行っている場合に、当該信号から前記垂直同期信号検出部によって垂直同期信号の検出が行われた場合であって、且つ、当該検出された垂直同期信号が、前記周波数検出部によって、標準信号から外れていると判断された場合には、垂直画面サイズの変更を行うことを特徴とする。
【００１７】
上記構成によれば、外部入出力端子部から入力される信号から垂直同期信号の検出が行われた場合（すなわち映像信号の入力がある場合）であって、且つ、当該映像信号に含まれている垂直同期信号の周波数が標準信号から外れていると判断された場合には、垂直画面サイズの変更がなされる。
【００１８】
請求項６の映像表示装置は、請求項４又は請求項５に記載の映像表示装置であって、水平同期信号検出部を備えることにより、前記外部入出力端子部から入力される信号が、前記水平同期信号検出部及び前記周波数検出部によって有効走査線数４８０ｉの映像信号であると判別された後に、前記垂直同期信号検出部によって検出される当該映像信号に含まれている垂直同期信号が、前記周波数検出部によって、標準信号から外れていると判断された場合には、垂直画面サイズの変更を行うことを特徴とする。
【００１９】
上記構成によれば、外部入出力端子部から入力される信号が有効走査線数４８０ｉの映像信号であると判別された後に、垂直同期信号が標準信号から外れていると判断された場合には、垂直画面サイズの変更が行われる。
【００２０】
請求項７の映像表示装置は、請求項１乃至請求項６の何れか１つに記載の映像表示装置であって、前記垂直画面サイズの変更が、垂直画面サイズの伸長であることを特徴とする。
【００２１】
上記構成によれば、請求項１乃至請求項６の映像表示装置において、垂直同期信号が標準信号から外れていると判断された場合（若しくはさらにその他条件を満たす場合）には、垂直画面サイズの伸長が行われる。
【００２２】
請求項８の映像表示装置は、請求項１乃至請求項６の何れか１つに記載の映像表示装置であって、前記垂直同期信号検出部によって検出される垂直同期信号が、前記周波数検出部によって、標準信号より高い周波数となっていると判断された場合には、前記垂直画面サイズの変更を伸長とし、標準信号より低い周波数となっていると判断された場合には、前記垂直画面サイズの変更を縮小とすることを特徴とする。
【００２３】
上記構成によれば、垂直同期信号が標準信号より高い周波数となっている（表示画像が垂直方向に縮む傾向となる）と判断された場合には垂直画面サイズの伸長が行われ、垂直同期信号が標準信号より低い周波数となっている（表示画像が垂直方向に伸びる傾向となる）と判断された場合には垂直画面サイズの縮小が行われる。
【００２４】
請求項９の映像表示装置は、請求項８に記載の映像表示装置であって、前記周波数検出部によって検出される、前記垂直同期信号の周波数の標準信号との差の大きさに応じて、前記垂直画面サイズの伸縮の大きさを変更することを特徴とする。
【００２５】
上記構成によれば、標準信号からの垂直同期信号の周波数のズレの大きさ（表示画像が垂直方向に伸縮する傾向の度合い）に応じて、垂直画面サイズの伸縮の大きさが変更される。
【発明の効果】
【００２６】
本発明の請求項１の、テープ媒体再生装置若しくはテープ媒体記録再生装置から入力される映像信号に基づいて映像の表示を行う映像表示装置であって、垂直同期信号検出部と、周波数検出部と、チューナ部と、を備えることにより、前記垂直同期信号検出部によって検出される前記チューナ部から入力された映像信号に含まれている垂直同期信号が、前記周波数検出部によって、標準信号から外れていると判断された場合には、垂直画面サイズの変更を行うことを特徴とする映像表示装置によれば、チューナ部から入力された映像信号に含まれている垂直同期信号の周波数が標準信号から外れていると判断された場合には、垂直画面サイズの変更がなされるため、テープ媒体再生装置若しくはテープ媒体記録再生装置からの映像信号が、映像表示装置のチューナ部によって受信されている（テレビとビデオがＲＦケーブル接続されている）ような場合であっても、テープ媒体再生装置などの「早送り再生」や「巻戻し再生」等の特殊再生動作時（垂直同期信号の周波数が標準信号から外れる）に、表示画面の上下に映像が表示されない（黒い）部分が生じないようにさせることが可能となる。
【００２７】
本発明の請求項２の、前記チューナ部から入力される信号に基づいて、映像の表示処理を行っている場合に、当該信号から前記垂直同期信号検出部によって垂直同期信号の検出が行われた場合であって、且つ、当該検出された垂直同期信号が、前記周波数検出部によって、標準信号から外れていると判断された場合には、垂直画面サイズの変更を行うことを特徴とする請求項１記載の映像表示装置によれば、チューナ部から入力される信号から垂直同期信号の検出が行われた場合（すなわち映像信号の入力がある場合）であって、且つ、当該映像信号に含まれている垂直同期信号の周波数が標準信号から外れていると判断された場合に垂直画面サイズの変更がなされるため、映像信号の入力がない場合（映像信号の入力がない場合も“標準信号”では無いと判断される）には、垂直画面サイズの変更が行われず、映像信号の入力がない状態であるにもかかわらず、垂直画面サイズの変更が行われるということがない。すなわち、映像信号の入力がない状態では画面表示は元々ノイズ画面となっているため、「表示画面の上下に映像が表示されない（黒い）部分が生じるため画面が見苦しくなる」ということは無く、垂直画面サイズの変更の必要性がなく、且つ、垂直画面サイズを伸張するようにすると、チャンネル表示（ＯＳＤ表示）等が見え難くなってしまう（表示が画面外に出てしまう）可能性もあるが、上記構成によれば、このような不具合が防止される。
【００２８】
本発明の請求項３の、前記垂直同期信号が、標準信号から外れていると判断された場合であって、且つ、前記映像表示装置が、受信チャンネルの自動設定を行う自動サーチ選局モードでは無い場合に、垂直画面サイズの変更を行うことを特徴とする請求項１又は請求項２に記載の映像表示装置によれば、映像表示装置が、受信チャンネルの自動設定を行う自動サーチ選局モード（サーチ動作中に次々に受信チャンネルの変更が行われる）である場合には、垂直画面サイズの変更が行われないため、サーチ動作中に画面サイズが頻繁に変更される（見苦しいと共に消費電力も多くなる）ことが防止される。
【００２９】
本発明の請求項６の、水平同期信号検出部を備えることにより、前記外部入出力端子部から入力される信号が、前記水平同期信号検出部及び前記周波数検出部によって有効走査線数４８０ｉの映像信号であると判別された後に、前記垂直同期信号検出部によって検出される当該映像信号に含まれている垂直同期信号が、前記周波数検出部によって、標準信号から外れていると判断された場合には、垂直画面サイズの変更を行うことを特徴とする請求項４又は請求項５に記載の映像表示装置によれば、外部入出力端子部から入力される信号が有効走査線数４８０ｉの映像信号であると判別された後に、垂直同期信号が標準信号から外れていると判断された場合に、垂直画面サイズの変更を行うため、外部入出力端子部に接続されている装置の判別をある程度行うことが可能となる。すなわち、ＶＴＲは基本的に映像信号が有効走査線数４８０ｉであるが、他の機器では異なる場合も多いため（例えばＤＶＤプレーヤには有効走査線数４８０ｐのものもある）、「外部入出力端子部から入力される信号が有効走査線数４８０ｉの映像信号であると判別された後」は、当該外部入出力端子部にはＶＴＲが接続されている可能性が高いと言え、「テープ媒体再生装置若しくはテープ媒体記録再生装置から入力される映像信号」に対する処理を有効に行うことができる。
【００３０】
本発明の請求項７の、前記垂直画面サイズの変更が、垂直画面サイズの伸長であることを特徴とする請求項１乃至請求項６の何れか１つに記載の映像表示装置によれば、垂直同期信号が標準信号から外れていると判断された場合（若しくはさらにその他条件を満たす場合）には、垂直画面サイズの伸長が行われるため、「表示画面の上下に映像が表示されない（黒い）部分が生じるため画面が見苦しくなる」ということを有効に防止することができる。また、垂直同期信号が標準信号から外れていると判断することができる機能を有している装置であれば、プログラムの制御のみによって本機能を実現させることができるため、本機能の実現に際してコストがほとんどかからない。
【００３１】
本発明の請求項８の、前記垂直同期信号検出部によって検出される垂直同期信号が、前記周波数検出部によって、標準信号より高い周波数となっていると判断された場合には、前記垂直画面サイズの変更を伸長とし、標準信号より低い周波数となっていると判断された場合には、前記垂直画面サイズの変更を縮小とすることを特徴とする請求項１乃至請求項６の何れか１つに記載の映像表示装置によれば、垂直同期信号が標準信号より高い周波数となっていると判断された場合には垂直画面サイズの伸長が行われ、垂直同期信号が標準信号より低い周波数となっていると判断された場合には垂直画面サイズの縮小が行われ、垂直同期信号のズレによって生じる画面の「伸び」、「縮み」に応じて垂直画面サイズが「縮小」、「伸長」されるため、“画面の見苦しさ”をより低減させることができる。
【００３２】
本発明の請求項９の、前記周波数検出部によって検出される、前記垂直同期信号の周波数の標準信号との差の大きさに応じて、前記垂直画面サイズの伸縮の大きさを変更することを特徴とする請求項８に記載の映像表示装置によれば、標準信号からの垂直同期信号の周波数のズレの大きさ（表示画像が垂直方向に伸縮する傾向の度合い）に応じて、垂直画面サイズの伸縮の大きさが変更されるため、“画面の見苦しさ”をさらに低減させることができる。
【発明を実施するための最良の形態】
【００３３】
以下、本発明の具体的実施例について、図面を参照しながら説明する。なお、以下の実施態様は、本発明を具体化する際の一形態であって、本発明をその範囲内に限定するためのものではない。
【実施例１】
【００３４】
図１は本実施例のテレビジョン受像機の主に本発明に関する部分のみの概略を示したブロック図であり、図２は同テレビジョン受像機の使用状態を示す斜視図である。図３はテレビジョン受像機の動作のうち本発明に関する部分のみの概略を示したフローチャート図である。
【００３５】
図１に示されるように、映像表示装置であるテレビジョン受像機１は、各周波数の映像信号（ＲＦ信号）を受信し、ＩＦ信号への変換を行うチューナ部１０１と、装置全体の制御等を行うマイコン１０２と、チューナ部１０１から入力される映像信号に含まれる垂直同期信号の検出を行う垂直同期信号検出部１０３と、映像信号からの輝度信号と色信号の抽出などを行うＹ／Ｃ分離部１０４と、映像信号からの同期信号（水平同期信号及び垂直同期信号）の抽出などを行う同期分離部１０５と、前記Ｙ／Ｃ分離部１０４から出力された信号をＣＲＴ１０９へ表示させるための処理を行う映像信号処理部１０６・色信号処理部１０７・映像出力部１０８と、同期分離部１０５からの信号に基づき偏向用のこぎり波形の生成などを行う同期信号・偏向処理部１１１と、偏向コイル１１０へ偏向用のこぎり波電流を供給する水平偏向出力部１１２・垂直偏向出力部１１３などを備える。
【００３６】
テレビジョン受像機１は、ＶＴＲ２とＲＦケーブル２１によって接続され（図２）、これにより、ＶＴＲ２からの映像信号はテレビジョン受像機１のチューナ部１０１によって受信される。
【００３７】
次に本実施例のテレビジョン受像機１の本発明に関する部分の動作の概略を、図３を参照しつつ説明する。ステップ３１において映像信号（チューナ部１０１から出力される映像信号）の有無を判断し、映像信号有りと判断された場合にはステップ３２へと移行する。「映像信号の有無」は、垂直同期信号の有無によって判別され（垂直同期信号が無い場合は映像として表示させることができないため）、垂直同期信号の有無は、垂直同期信号検出部１０３によって検出され、マイコン１０２に入力されて判断される。ステップ３２では、チューナ部１０１から出力される映像信号が標準信号であるか否かを判断し、標準信号でないと判断された場合にはステップ３３へと移行する。標準信号であるか否かは、垂直同期信号検出部１０３から垂直同期信号の入力を受けたマイコン１０２が、その周波数を検出し（すなわち、マイコン１０２は周波数検出部としての機能をも有している）標準信号の周波数である６０Ｈｚと比較して判断することによって行われる（６０Ｈｚからどれほど外れた場合に“非標準信号”とするかは、同期信号・偏向処理部１１１などの動作性能等も考慮して適宜定められる）。
【００３８】
ステップ３３では、自動サーチ選局モード（受信チャンネルの自動設定を行うモード）であるか否かをマイコン１０２が判別し、自動サーチ選局モードであった場合にはステップ３１へと戻り、自動サーチ選局モードでなかった場合にはステップ３４へと移行して垂直画面サイズの伸長処理を行う（マイコン１０２から同期信号・偏向処理部１１１に垂直画面サイズを伸長するように指示が出され、同期信号・偏向処理部１１１はこれに応じた垂直偏向用のこぎり波形を生成する。）。続くステップ３５ではチューナ部１０１から出力される映像信号が標準信号であるか否かを判断し（ステップ３２と同様の処理）、標準信号であると判断された場合にはステップ３７へと移行して垂直画面サイズを元に戻し、ステップ３１へと戻り処理を繰り返す。一方、ステップ３５における判断で、標準信号でないと判断された場合にはステップ３６へと移行して映像信号の有無の判別を行い（ステップ３１と同様の処理）、映像信号が有ると判断された場合にはステップ３５へと戻り、映像信号が無いと判断された場合はステップ３７を介してステップ３１へと戻り、処理を繰り返す。
【００３９】
このような処理により、チューナ部１０１からの出力が映像信号である場合であって、且つ、当該映像信号の垂直同期信号の周波数が非標準信号と判断される場合であって、且つ、装置が自動サーチ選局モードでない場合に、垂直画面サイズの伸長処理が行われ、その後、映像信号の垂直同期信号の周波数が標準信号と判断された場合は、垂直画面サイズの縮小処理（元に戻される）が行われることとなる。なお、ステップ３６の処理により、垂直画面サイズが伸長されている間（映像信号が非標準信号である間）に映像信号が無くなった場合には垂直画面サイズを元に戻してステップ３１へと戻る動作となる。
【００４０】
以上のごとく、本実施例のテレビジョン受像機１によれば、チューナ部から入力された映像信号に含まれている垂直同期信号の周波数が標準信号から外れていると判断された場合には、垂直画面サイズの伸長処理がなされるため、テープ媒体再生装置若しくはテープ媒体記録再生装置からの映像信号が、映像表示装置のチューナ部によって受信されているような場合であっても、テープ媒体再生装置などの「早送り再生」や「巻戻し再生」等の特殊再生動作時に、表示画面の上下に映像が表示されない（黒い）部分が生じるといったことを防止させることが可能となる。図４には、ＣＲＴ画面の映像表示領域の一例を示した、図４（ａ）が画面いっぱい（ＣＲＴ１０９の表示領域ｘ全体）に映像が表示されている（良好な）状態であり、図４（ｂ）は、映像が垂直方向に縮んでいる（画面の上下に映像が表示されない領域ｚ１・ｚ２がある）状態を示している。本実施例によれば、テープ媒体再生装置などの「早送り再生」や「巻戻し再生」等の特殊再生動作時に画面の伸長処理がなされるため、図４（ｂ）のような状態が発生することを有効に防止させることができるのである。また、チューナ部から入力される信号から垂直同期信号の検出が行われた場合（すなわち映像信号の入力がある場合）のみに垂直画面サイズの変更がなされるため、映像信号の入力がない場合には、垂直画面サイズの変更が行われず、映像信号の入力がない状態であるにもかかわらず、垂直画面サイズの変更が行われるということがない。さらに、受信チャンネルの自動設定を行う自動サーチ選局モードである場合には、垂直画面サイズの変更が行われないため、サーチ動作中に画面サイズが頻繁に変更される（見苦しいと共に消費電力も多くなる）ことが防止される。
【００４１】
なお本実施例では、垂直同期信号検出部１０３とＹ／Ｃ分離部１０４を別個の構成要素のごとく扱っているが、Ｙ／Ｃ分離を行う機能を備えたＩＣには、同期信号が標準信号から外れているか否かを検出して出力する機能を持ったものもあり、当該ＩＣを備えていれば、「垂直同期信号検出部」を別個に構成（用意）しなくとも、ステップ３２やステップ３５の判断を行うことができる。このことからも明らかなように、垂直同期信号が標準信号から外れていると判断することができる機能を有している装置であれば、プログラムの制御のみによって「標準信号から外れた場合には、垂直画面サイズを伸長する」という機能を実現させることができるため、本機能の実現に際してコストがほとんどかからない。
【実施例２】
【００４２】
図５は本実施例のテレビジョン受像機の主に本発明に関する部分のみの概略を示したブロック図であり、図６はテレビジョン受像機の動作のうち本発明に関する部分のみの概略を示したフローチャート図である。なお、実施例１と同様の構成要素若しくは動作概念となるものは実施例１と同一の符号を使用し、ここでの説明を省略する。
【００４３】
図５に示されるように、本実施例のテレビジョン受像機５０は、外部入力端子部５２と、当該外部入出力端子部５２とチューナ部１０１から入力される信号を切り替えて出力する入力切替部５１と、垂直・水平同期信号検出部５３などを備える。なお、本実施例では、外部入力端子５０ａにＶＴＲ２に接続されたＡＶケーブルが接続されることにより、テレビジョン受像機５０にＶＴＲ２が接続されているものとして説明を行う。
【００４４】
次に本実施例のテレビジョン受像機５０の本発明に関する部分の動作の概略を、図６を参照しつつ説明する。なお、前述のごとく実施例１（図３）と同様の処理概念となるものについては実施例１と同一の符号を使用している。ステップ３１において映像信号（外部入力端子部５２から入力される映像信号が、入力切替部５１によって選択されて出力される。当該選択の指示はマイコン１０２によってなされる）の有無を判断し、映像信号有りと判断された場合にはステップ６１へと移行する。ステップ６１では、垂直・水平同期信号検出部５３によって水平同期信号の検出がなされ、これをマイコン１０２が標準信号の周波数である１５７３４Ｈｚと比較して判断することによって、有効走査線数４８０ｉの映像信号であるか否かを判断し、これに該当する場合にはステップ３２へと移行する。ステップ３２の判別結果が否定（非標準信号）であった場合には、ステップ６２において、垂直・水平同期信号検出部５３とマイコン１０２によって検出される垂直同期信号の周波数を標準信号の周波数で除算し（垂直同期信号の周波数と標準信号の周波数との比を求めて）変数ｘに代入する。ステップ６３では、垂直画面サイズをｘ倍とする処理を行い、ステップ３５及びステップ３６を経てステップ６４へと移行し、垂直画面サイズを元に戻す処理を行ってステップ３１へと戻り、処理を繰り返す。なお、ステップ３２における判断が否定であった場合にはステップ３１へと戻るものとしているが、ステップ３２へと戻ることにより単にステップ３２の判断を繰り返すものであってもよい。
【００４５】
このような処理により、外部入力端子部５２から入力される信号が映像信号である場合であって、且つ、当該映像信号が有効走査線数４８０ｉであると判断された後に、当該映像信号の垂直同期信号の周波数が非標準信号と判断される場合には、標準信号からの垂直同期信号の周波数のズレの方向（周波数が高いか低いか）及びその大きさ（表示画像が垂直方向に伸縮する傾向の度合い）に応じて、垂直画面サイズの伸縮及び大きさが変更される。その後、映像信号の垂直同期信号の周波数が標準信号と判断された場合（若しくは映像信号が無いと判断された場合）には、垂直画面サイズを元に戻す処理が行われることとなる。
【００４６】
以上のごとく、本実施例のテレビジョン受像機５０によれば、外部入出力端子部５２から入力される信号が有効走査線数４８０ｉの映像信号であると判別された後に、垂直同期信号が標準信号から外れていると判断された場合に、垂直画面サイズの変更を行うため、外部入出力端子部に接続されている装置の選別をある程度行うことが可能となり、「テープ媒体再生装置若しくはテープ媒体記録再生装置から入力される映像信号」に対する処理を有効に行うことができる。また、垂直同期信号が標準信号より高い周波数となっていると判断された場合には垂直画面サイズの伸長が行われ、垂直同期信号が標準信号より低い周波数となっていると判断された場合には垂直画面サイズの縮小が行われ、垂直同期信号のズレによって生じる画面の「伸び」、「縮み」に応じて垂直画面サイズが「縮小」、「伸長」されると共に、標準信号からの垂直同期信号の周波数のズレの大きさ（表示画像が垂直方向に伸縮する傾向の度合い）に応じて、垂直画面サイズの伸縮の大きさが変更されるため、“画面の見苦しさ”をより低減させることができる。
【００４７】
なお、実施例中では映像表示装置の具体例としてブラウン管を使用したテレビジョン受像機を用いて説明したが、本発明をこれに限るものではなく、他の方式の表示装置（例えば、液晶表示装置や、プラズマディスプレイパネル等）にも本発明を有効に適用することができる。
【図面の簡単な説明】
【００４８】
【図１】実施例１のテレビジョン受像機の主に本発明に関する部分のみの概略を示したブロック図
【図２】実施例１のテレビジョン受像機の使用状態を示す斜視図
【図３】実施例１のテレビジョン受像機の動作のうち本発明に関する部分のみの概略を示したフローチャート図
【図４】映像表示画面の一例を示した図
【図５】実施例２のテレビジョン受像機の主に本発明に関する部分のみの概略を示したブロック図
【図６】実施例２のテレビジョン受像機の動作のうち本発明に関する部分のみの概略を示したフローチャート図
【符号の説明】
【００４９】
１      テレビジョン受像機（映像表示装置）
２      ＶＴＲ（テープ媒体記録再生装置）
１０１  チューナ部
１０２  マイコン（周波数検出部）
１０３  垂直同期信号検出部
１１１  同期信号・偏向処理部
５１    入力切替部
５２    外部入出力端子部
５３    垂直・水平同期信号検出部
【図１】
2006174345.tif 000003
【図２】
2006174345.tif 000004
【図３】
2006174345.tif 000005
【図４】
2006174345.tif 000006
【図５】
2006174345.tif 000007
【図６】
2006174345.tif 000008